(57)【特許請求の範囲】
【請求項１】
電解槽と、前記電解槽に接続された吐出流路と、前記吐出流路から分岐してｐＨ検知室を設けたことを特徴とするイオン水生成器。
【請求項２】
前記ｐＨ検知室にｐＨセンサを設けるとともに、前記ｐＨ検知室に洗浄液を供給する洗浄液供給部を設けたことを特徴とするイオン水生成器。
【請求項３】
前記洗浄液が前記電解槽で生成された電解生成水であることを特徴とする請求項２記載のイオン水生成器。
【請求項４】
前記洗浄液が酸性水であることを特徴とする請求項２または３記載のイオン水生成器。
【請求項５】
前記ｐＨ検知室にオーバーフロー管を設け、前記オーバーフロー管が排水管に接続されていることを特徴とする請求項２〜４のいずれかに記載のイオン水生成器。
【請求項６】
前記洗浄液供給部が前記電解槽から電解生成水をｐＨ検知室に供給する接続路であることを特徴とする請求項２〜５のいずれかに記載のイオン水生成器。
【請求項７】
前記洗浄液供給部が前記吐出流路の前記電解生成水を前記ｐＨ検知室に供給する分流路であることを特徴とする請求項２〜５のいずれかに記載のイオン水生成器。
【請求項８】
前記ｐＨ検知室に超音波振動子または攪拌機構を設けたことを特徴とする請求項２〜７のいずれかに記載のイオン水生成器。
【請求項９】
前記ｐＨ検知室に噴射ノズルを設けたことを特徴とする請求項２〜７のいずれかに記載のイオン水生成器。
【請求項１０】
前記吐出流路に設けられた流量積算計と、前記流量積算計の積算流量と予め設定された積算流量とを比較判定するコントローラと、前記洗浄液供給部に前記コントローラからの信号により開閉するバルブを設けたことを特徴とする請求項２〜９のいずれかに記載のイオン水生成器。
【請求項１１】
イオン水の接液部にｐＨセンサを備えたｐＨ検知室を設け、前記ｐＨ検知室に洗浄液を供給してｐＨセンサを洗浄することを特徴とするｐＨセンサ洗浄方法。
【請求項１２】
前記洗浄液が酸性水であることを特徴とする請求項１１記載のｐＨセンサ洗浄方法。
【発明の詳細な説明】
【０００１】
【産業上の利用分野】
本発明は、水道水、井戸水等の原水を電気分解して、飲用、医療用として利用するアルカリイオン水および化粧水、殺菌洗浄水などとして利用する酸性イオン水を製造するイオン水生成器及びイオン水のｐＨを検知するｐＨセンサの洗浄をするｐＨセンサ洗浄方法に関するものである。
【０００２】
【従来の技術】
近年、「健康ブーム」を反映してイオン水生成器が普及しつつある。このイオン水生成器は電解槽内で水道水などを電気分解し、陽極側に酸性イオン水を生成し、陰極側にアルカリイオン水を生成するものである。
【０００３】
そこで従来の連続電解方式のイオン水生成器について説明する。図４は従来のイオン水生成器の概略全体図である。１は水道水などの原水管、２は水栓、３は水栓２を介して原水管１と接続されたイオン水生成器である。４は内部に活性炭や中空糸膜などを備えた浄水器、５はミネラルを原水中に付与し導電率を高めるミネラル供給部、６は通水を確認し後述のコントローラに制御開始の指示をする流量センサ、８は流量センサ６を経由してきた水を電気分解する電解槽７を２分する隔膜、９、１０は隔膜８で２分して形成された各電極室に配設された電極板、１１は電極板１０側の水（電極板１０が陽極の場合は酸性イオン水）を排出する排水管、１２は電極板９側の水（電極板９が陰極の場合はアルカリイオン水）を吐水する吐出管、１３は電解槽７内の残留水や電極洗浄時のスケールが溶解した洗浄水を排水するための電磁弁、１４は排水管１１を介して電極板１０側の水（電極板１０が陽極の場合は酸性イオン水）や電解槽７の滞留水や洗浄水を排水する放水管、１６は電源投入用プラグ１５からの交流を直流に変える電源部、１７はイオン水生成器３の動作を制御するコントローラ、１８はイオン水生成器３の操作状態を表示し操作条件などを設定するための操作表示部である。
【０００４】
以上のように構成された従来のイオン水生成器について以下その動作を説明する。原水管１より水栓２を開いて通水された原水は浄水器４で原水中の残留塩素の臭いや一般細菌などの不純物が取り除かれ、ミネラル供給部５でグリセロリン酸カルシウムなどのミネラルが溶解され電解が容易な水に処理された後、流量センサ６を経て電解槽７に通水される。一方、電源投入プラグ１５よりＡＣ電圧が印加され、電源部１６で直流に変換後電解槽７の電極板９と電極板１０に給電される。これにより、陽極室には酸性イオン水が、陰極室にはアルカリイオン水が生成され、通水しながら電極板９がマイナス電圧になるように電圧を印加すると、吐出管１２よりアルカリイオン水が連続的に得られる。
【０００５】
またこのイオン水生成器３は酸性イオン水を必要とする時は電極板９にプラス電圧を印加すればよく、浄水を必要とする時は電圧を印加しないで通水を行えば、よい。このようにこの従来例のイオン水生成器は酸性水、浄水の切り替えが可能になるものである。
【０００６】
しかしながら、この従来のイオン水生成器は電解槽７へ印加する電圧を変えて電界強度を変更することによりｐＨ濃度を変えることができるものではあるが、ｐＨセンサなどが配置されておらず自動的にｐＨ濃度の制御ができるようなものではなかった。
【０００７】
そこでこれを改良してｐＨセンサをイオン生成器に配置した技術（実開平５−２２０９３号公報）が提案されている。すなわちこの方法は電解槽の下流側に、ｐＨセンサと流量センサを設け、それらからの出力に基づいて電解槽や流量調節弁への駆動電圧を制御する制御装置を備え、ｐＨセンサと流量センサからのセンサ出力を電解槽や流量調節弁にフィードバックすることによって所望のｐＨ濃度のイオン水を得ることができるものである。
【０００８】
このｐＨセンサに関して、ｐＨセンサに凝集物が付着した場合、ｐＨセンサの洗浄を図る技術（実開昭５５−９２７３号公報）も従来提案されている。すなわちこの技術は攪拌機能を備えた酸性廃水処理槽内部に設置したｐＨセンサと洗浄剤となるアルカリ溶液や清水のタンクを電気的に連動させる構成とし、定期的に酸性廃水の廃水処理槽内への供給を止め、その間にアルカリ溶液や清水を廃水処理層に流入させ攪拌することによりｐＨセンサを洗浄するものである。
【０００９】
【発明が解決しようとする課題】
しかしながら、ｐＨセンサをイオン水生成器に配置した従来技術（実開平５−２２０９３号公報）は、ｐＨセンサにＣａイオンや水垢等の凝集物が付着しやすく、短時間のうちにｐＨセンサのセンサ出力が不正確になり、したがって電解槽や流量調節弁の駆動が適切でなくなり、生成されるイオン水の正確なｐＨ調整ができないという問題があった。また定期的にｐＨセンサを電解槽外に取り出して付着した凝集物を洗浄する場合には、その取り外しや洗浄作業が煩雑であるのとｐＨセンサが破損しやすいなどの問題があった。また従来技術のｐＨ測定はｐＨ測定値が変動しやすく、ｐＨセンサの設置個所や設計の自由度も制限されるという問題もあった。
【００１０】
さらに、廃水処理槽内部に洗浄液を充満させ攪拌によりｐＨセンサを洗浄する機構を備えた従来技術（実開昭５５−９２７３号公報）は、その制御が複雑になることと装置が大型になることおよび洗浄に時間がかかるという問題があった。
【００１１】
また、ｐＨセンサの洗浄時に電解操作を停止させるという問題もあった。
本発明は前記従来の問題点を解決するもので、精度よくｐＨ濃度の測定・表示ができ、精度よく調整されたイオン水を生成するメンテナンスフリーのイオン水生成器を提供することを目的とする。
【００１２】
また本発明は、精度よくｐＨ濃度の調整・表示ができ、メンテナンスフリーのｐＨセンサの洗浄方法を提供することを目的とする。
【００１３】
【課題を解決するための手段】
上記目的を達成するために本発明のイオン水生成器は、電解槽に設けた吐出流路に分岐してｐＨ検知室を設けていることを特徴とする。
【００１４】
また、ｐＨ検知室にはｐＨセンサとｐＨ検知室に洗浄液を供給する洗浄液供給部を設けていることが望ましい。
【００１５】
さらに、洗浄液が電解槽で生成された電解生成水であることが好ましい。
さらに、ｐＨセンサの洗浄液は酸性イオン水であることが適当である。
【００１６】
さらに、ｐＨ検知室に排水管に接続されたオーバーフロー管を備えていることが望ましい。
【００１７】
さらに、洗浄液供給部が電解槽からの電解生成水をｐＨ検知室に供給する接続路であることが好ましい。
【００１８】
さらに、洗浄液供給部が吐出流路の電解生成水をｐＨ検知室に供給する分流路であることが適当である。
【００１９】
さらに、ｐＨ検知室に超音波振動子または攪拌機構を設けていることが望ましい。
【００２０】
さらに、ｐＨ検知室に噴射ノズルを設けていることが好ましい。
さらに、吐出流路に流量積算計と、流量積算計の積算流量と予め設定された積算流量とを比較判定するコントローラを併設し、コントローラからの信号により開閉するバルブを洗浄液供給部に設けているのが適当である。
【００２１】
本発明のｐＨセンサ洗浄方法は、イオン水の接液部にｐＨセンサを備えたｐＨ検知室を設け、ｐＨ検知室に洗浄液を供給することを特徴とする。
【００２２】
また、本発明のｐＨセンサ洗浄方法は、洗浄液が酸性水であることを特徴とする。
【００２３】
【作用】
本発明のイオン水生成器は電解槽に接続した吐出流路に分岐してｐＨ検知室を設けているから、ｐＨ検知室は吐出流路から独立して取り扱えるようになり、原水の流量や水温の変動によるｐＨセンサの測定精度への影響を抑えることができる。
【００２４】
また、ｐＨ検知室にはｐＨセンサを設けているから、イオン生成水のｐＨ濃度の測定ができるし、あわせて洗浄液を供給する洗浄液供給部も設けているので、吐出流路などに影響を及ぼすことなくｐＨセンサを洗浄することができる。
【００２５】
また、洗浄液が電解槽で生成された電解生成水であるから、洗浄操作を簡便にすることができる。
【００２６】
また、ｐＨセンサの洗浄液は酸性イオン水であるから、Ｃａイオン等の凝集物を短時間に洗浄除去できる。
【００２７】
また、ｐＨ検知室にオーバーフロー管を備えているから、洗浄液を一定量蓄えることができる。
【００２８】
また、洗浄液供給部が電解槽から電解生成水をｐＨ検知室に供給する接続路であるから、電解槽で生成する酸性イオン水を洗浄液として利用できる。
【００２９】
また、洗浄液供給部が吐出流路の電解生成水をｐＨ検知室に供給する分流路であるから、電解槽で生成する酸性イオン水を直接洗浄液として利用できる。
【００３０】
また、ｐＨ検知室に超音波振動子または攪拌機構を設けているから、ｐＨセンサに付着する凝集物を容易に洗浄除去することができる。
【００３１】
また、ｐＨ検知室に噴射ノズルを設けているから、ｐＨセンサに付着する凝集物を短時間に洗浄除去することができる。
【００３２】
また、吐出流路に流量積算計と、予め設定された積算流量とを比較判定するコントローラを併設し、コントローラからの信号により開閉するバルブを洗浄液供給部に設けているから、自動的にｐＨセンサの洗浄時期を検知し洗浄液を供給することができる。
【００３３】
また、イオン水の接液部にｐＨセンサを備えたｐＨ検知室を設け、洗浄液を供給するから、ｐＨセンサのメンテナンスが容易で、簡便に洗浄できる。
【００３４】
また、洗浄液が酸性水であるから、Ｃａイオン等のｐＨセンサの付着物を短時間に洗浄除去できる。
【００３５】
【実施例】
以下、本発明の一実施例のイオン水生成器及びｐＨセンサ洗浄方法について図面に基づいて詳細に説明する。
【００３６】
図１は本発明の一実施例におけるイオン水生成器の概略全体図で、図２は図１の部分拡大図である。図１、図２において、１は原水管、２は水栓、３はイオン水生成器、４は浄水器、５はミネラル供給部、６は流量センサ、７は電解槽、８は隔膜、９、１０は電極板、１１は酸性イオン水の排水管、１２は吐出流路であるアルカリイオン水の吐出管、１３は電磁弁、１４は放水管である。従来例と同じ符号のものについては、基本的な動作、機能が同じであるので説明を省略する。
【００３７】
１９は吐出管１２の一部に設けられた流量積算計で、イオン水の流量を計量表示する。２４は吐出管１２に分岐して設けられたｐＨ検知室で、ｐＨセンサ２５と超音波振動子２６が取り付けられている。またｐＨ検知室２４にはバルブ２１を設けた洗浄液供給部となる分岐管２０と、バルブ２３を設けた洗浄液供給部としてイオン水が供給される接続管２２及び逆流防止弁２８を設けたオーバーフロー管２７が接続されている。洗浄液供給部の洗浄液流出口はｐＨ検知室２４の底部に近い位置にくるよう流出口端を延長して設けられており、常に新しいイオン水がｐＨ検知室に蓄えられるよう工夫されている。ｐＨ検知室２４はｐＨセンサが収納できてイオン水が蓄えられる容積を有しており、底部には傾斜をつけ洗浄除去した凝集物が堆積しやすい構造となっている。３５はｐＨ検知室２４の底部に設けたドレン抜き管で、バルブ３６が設けられている。堆積した凝集物はドレン抜き管３５から取り除かれる。
【００３８】
ところでｐＨセンサ２５は分岐管２０から流入するイオン水が直接接触しないでその電極部がイオン水に十分浸る位置に取り付けるよう配置されている。またｐＨ検知室２４に設けた超音波振動子２６は、洗浄液に振動を付与してｐＨセンサに付着した凝集物の洗浄が容易にできるようにｐＨセンサ２５に近い位置に配置されている。
【００３９】
このようにｐＨ検知室２４が吐出管１２から分岐して独立に設けられているので、吐出管１２内のイオン水の流量変動の影響を受けないで精度よくｐＨ濃度の測定ができるし、設計の自由度も向上する。またｐＨ検知室２４は、容積も検知用で小さなものであるから、吐出管１２を流れるアルカリイオン水などに影響を与えることが少なく、ｐＨセンサ２５の洗浄も僅かの洗浄液で効果的に行えるものである。本実施例では吐出管１２にｐＨ検知室２４を設けているが、本発明のｐＨセンサ洗浄方法によればｐＨ濃度検知したい接液部であればどこにｐＨ検知室を設けても以上と同様に洗浄することができる。
【００４０】
ところで本実施例のｐＨセンサ２５は電極部をガラスで構成したものである。しかしｐＨセンサ２５には電極部を半導体やイオン導電性隔膜などで構成される種類もあり、どのｐＨセンサであってもかまわない。いずれの場合も電極部を液体に浸漬させてｐＨを測定するものであって、液体中の水垢やＣａイオンなどの溶解成分からなる凝集成分の電極部への付着は避けることができないため、ｐＨ濃度の正確な測定には電極部の洗浄が必要である。本実施例ではｐＨ検知室２４に洗浄液供給部として接続路となる接続管２２を設け、超音波振動子２６によって振動や攪拌を行っているから正確な測定をすることができるものである。そして本実施例ではアルカリイオン水の生成中にも接続管２２を介して、電解槽７で生成する副成分の電解生成水である酸性イオン水を洗浄液として利用でき、ｐＨセンサ２５の洗浄をすることができる。このほか洗浄液として薬液や原水などを利用することもできる。このとき分岐管２０のバルブ２１は閉止される。一方、イオン水生成器３で酸性イオン水を生成する場合には吐出管１２より酸性イオン水が吐出される。本実施例では分流路である分岐管２０を洗浄液供給部として利用し、この酸性イオン水を洗浄液としても供給できる。このとき接続管２２のバルブ２３が閉止されることになる。このようにどちらのイオン水の生成時にも酸性イオン水を洗浄液として供給できる構造としているから、新たに洗浄液供給部を設けて外部より酸性イオン水を供給する必要がない。
【００４１】
オーバーフロー管２７はｐＨ検知室２４の上部に開口するように配置されており、一定量のイオン水をｐＨ検知室２４内に蓄えると同時にイオン水の滞留を防ぎ、常に新しいイオン水のｐＨ濃度測定を可能にするものである。
【００４２】
つぎに、２９は流量積算計１９と、３０はバルブ２１と、３１はバルブ２３と、３２は超音波振動子２６とコントローラ１７をそれぞれ接続する信号路であり、３３はｐＨセンサ２５の信号をコントローラ１７に伝達する信号路である。ここではｐＨセンサ２５の洗浄はコントローラ１７が流量積算計１９の積算信号を読みとり、予め記憶させておいた積算流量と比較判定し、洗浄が必要な積算流量に達したときにコントローラ１７からの信号でバルブ２１を閉じ、バルブ２３を開けることによって洗浄するものである。原水中の溶解成分や不純物の含有量の種類によってコントローラ１７に予め記憶させた積算流量の設定を変えることができるからｐＨセンサ２５の洗浄開始時期を任意に選択できるものである。
【００４３】
さらに、１６は電源投入用プラグ１５からの交流を直流に変える電源部、１８はイオン水生成器３の操作状態を表示し操作条件などを設定するための操作表示部である。
【００４４】
以上のように構成されたイオン水生成器について、以下その動作を説明する。原水管１から供給された原水は浄水器４で一般細菌や不純物を取り除きミネラル供給部５を通過してミネラル含有水となり流量センサ６を通過し電解槽７に流入する。流入した原水が一定量以上になると電極９、１０にコントローラ１７によって直流電圧が印加され原水の電気分解が始まる。電気分解によって陰極周辺にはアルカリイオン水が、陽極周辺には酸性イオン水が生成し、電解槽７に接続した吐出管１２と排水管１１よりそれぞれ流出する。このとき電極９を陰極に電極１０を陽極になるように電圧を印加すると、アルカリイオン水の大部分は吐出管１２を経て外部に吐出すると同時にその一部は吐出管１２に設けた分岐管２０を経てｐＨ検知室２４に流入する。ｐＨ検知室２４にアルカリイオン水が一定量以上流入するとオーバーフロー管２７から排水管１１にオーバーフローする。ｐＨ検知室２４にはｐＨセンサ２５が備えてあり、アルカリイオン水のｐＨ濃度を検知してセンサ電圧を信号路３３を経てコントローラ１７に送り、コントローラ１７は操作表示部１８にｐＨ濃度を表示させる。
【００４５】
ここで原水を連続して流入させ、電極９、１０に連続的に電圧を印加しておくことによりアルカリイオン水が連続して生成することができると同時にｐＨ濃度の検知・表示も連続して行えることになる。また印加電圧を逆にし電極９を陽極に、電極１０を陰極にすれば上述したのとは逆に吐出管１２からは酸性イオン水が吐出し、排水管１１からはアルカリイオン水が排水されることになり、ｐＨ検知室２４には酸性イオン水が流入し酸性イオン水のｐＨ濃度の検知・表示ができることになる。
【００４６】
吐水管１２に設けられた流量積算計１９に積算されたアルカリイオン水の流量は信号路２９を経てコントローラ１７に伝達され、予め設定された流量以上に達すると分岐管２０に設けたバルブ２１が信号路３０を経て伝達されるコントローラ１７の信号により閉ざされ、次いでコントローラ１７の信号でバルブ３６が開かれドレンを抜いた後再び閉止され、接続管２２に設けられたバルブ２３は信号路３１を介してコントローラ１７からの信号により開けられ酸性イオン水がｐＨ検知室２４に流入する。酸性イオン水がオーバーフロー管２７からオーバーフローし、予め設定された時間の経過後コントローラ１７から信号路３２を介して超音波振動子２６に振動を付加する。このことによりアルカリイオン水生成時にｐＨセンサ２５に付着したＣａや水垢などの凝集物の洗浄を促進し、短時間に洗浄除去することができる。さらに所定時間経過後コントローラ１７からの信号によってバルブ２３が閉じバルブ２１が開かれ、再びアルカリイオン水が分岐管２０を経てｐＨ検知室２４に流入しｐＨ濃度の検知・表示動作を継続する初期の状態に戻る。ただしコントローラ１７はｐＨ値が不安定な間はｐＨ表示しないよう、操作表示部１８の表示を一時的に停止させている。このようにしてアルカリイオン水の生成を中断することなくｐＨセンサ２５の洗浄が行える。長時間の使用後にｐＨ検知室２４に堆積した凝集物はその都度ドレン抜き管３５から取り除かれる。
【００４７】
ここで、超音波振動子２６は洗浄除去作業を効率的に短時間に行うための手段として採用しているが、この手段だけに限られるものではない。すなわちｐＨ検知室２４内に電動機で回転する回転翼を設けた攪拌器や、対流を起こさせる循環ポンプなどでもよい。ｐＨセンサ２５への凝集物が多い場合には攪拌器方式、中程度の場合は循環ポンプ方式が適当である。また凝集物が少なく上記攪拌機構の設置スペースに制限がある場合には、ｐＨ検知室２４に貯水した酸性イオン水でｐＨセンサ２５を浸漬洗浄する方法を用いればよい。
【００４８】
つぎに、この発明の他の実施例におけるイオン水生成器及びｐＨセンサ洗浄方法について説明する。
【００４９】
図３は本発明の他の実施例における噴射洗浄方式のイオン水生成器の部分拡大図である。なお図１、図２と共通する符号の説明は重複するからここでは省略する。
【００５０】
図３において３４はイオン水を噴射する噴射ノズルで、分岐管２０と接続管２２からなる洗浄液供給管の先端に設けられている。噴射ノズル３４はｐＨセンサ２５の電極部分を十分洗浄できるよう側方位置に配置されている。もちろん下方から噴射するものでもよい。それによってアルカリイオン水生成時にｐＨセンサ２５に付着したＣａや水垢などの凝集物のｐＨセンサ２５からの離脱を容易に、短時間にでき洗浄効果を高めることができる。噴射ノズル３４のノズル孔の直径は吐出管１２、分岐管２０と接続管２２の管径に比べ十分小さくしているから、わずかな水圧で洗浄力のあるイオン水の強い噴射が可能となる。さらにイオン水のｐＨ濃度測定中は噴射ノズル３４はイオン水中に浸されるような位置に設置されているから、イオン水中で噴射動作をさせることができ、これによってノズル孔の目ずまりを防ぐことができる。また噴射はイオン水を攪拌しｐＨセンサ２５への凝集物の付着速度を遅らせる効果もある。
【００５１】
そこでこの実施例のイオン水生成器について、その動作の説明をする。
原水の流入から電解槽７でのイオン水の生成までの説明は上述した実施例と重複するのでここでは省略する。吐水流路１２に設けられた流量積算計１９に積算されたアルカリイオン水の流量は信号路２９を経てコントローラ１７に伝達され、予め設定された流量以上に達すると分岐管２０に設けたバルブ２１が信号路３０を介してコントローラ１７の信号により閉ざされる。次いでドレン抜き管３５に設けたバルブ３６が開けられｐＨ検知室のイオン水をドレンとして大部分取り除いた後、接続管２２に設けられたバルブ２３が開けられ酸性イオン水がｐＨ検知室２４に設けられたノズル３４から噴出される。つぎに所定時間経過後コントローラ１７からの信号によってバルブ２３、３６が閉じバルブ２１が開かれ、再びアルカリイオン水が分岐管２０を経てｐＨ検知室２４に流入しｐＨ濃度の検知・表示動作を継続する初期の状態に戻る。このようにしてアルカリイオン水の生成を中断することなくｐＨセンサの洗浄が行える。
【００５２】
【発明の効果】
以上の実施例から明らかなように本発明によれば、吐出流路に分岐してｐＨ検知室を設けているから、精度良くｐＨ濃度を安定して測定することができる。
【００５３】
また、ｐＨ検知室にｐＨセンサを設けているから、他の部位特に吐出流路に影響することなくｐＨセンサを効果的に洗浄することができるし、洗浄を簡単な構成で行うことができる。
【００５４】
また、電解槽で生成された電解生成水を洗浄水として利用するから、外部から洗浄液を供給する必要がないことから、メンテナンスを簡便に行うことができる。
【００５５】
また、ｐＨセンサの洗浄液は酸性イオン水であるから、原水中に含まれるＣａなどのアルカリ金属類を溶解洗浄することができる。
【００５６】
また、ｐＨ検知室にオーバーフロー管を備えているから、安定してｐＨ濃度の測定を行うことができるし、ｐＨセンサの洗浄を十分に行うことができる。
【００５７】
また、電解槽に接続路を設けているから、電解槽で生成する酸性イオン水を洗浄液として利用できる。
【００５８】
また、吐出流路に分流路を設けているから、電解槽から直接イオン水を導入でき、簡単な構成でｐＨ濃度測定とｐＨセンサの洗浄を行うことができる。
【００５９】
また、超音波振動子または攪拌機構によってｐＨ検知室内の洗浄液に振動を付与することができるから、ｐＨセンサに付着する水垢などの凝集物を容易に離脱、洗浄除去することができる。
【００６０】
また、ｐＨ検知室に噴射ノズルを設けているから、洗浄液を噴射状にしてｐＨセンサを洗浄でき、凝集物を短時間に洗浄除去することができるし、簡単な構造で洗浄することができる。
【００６１】
また、流量積算計と、コントローラが接続されているから、自動的にｐＨセンサの洗浄時期を検知し洗浄液の供給、洗浄、排水、イオン水の供給、ｐＨ濃度測定、表示およびｐＨ調整ができ、メンテナンスフリーのイオン水生成器を実現することができる。
【００６２】
また、ｐＨ検知室に洗浄液を供給するから、ｐＨセンサの洗浄が容易でメンテナンスフリーなｐＨセンサ洗浄方法が実現できる。
【００６３】
また、洗浄液が酸性水であるから、ｐＨセンサの洗浄を容易に行うことができる。
【図面の簡単な説明】
【図１】本発明の一実施例におけるイオン水生成器の概略全体図
【図２】図１の部分拡大図
【図３】本発明の他の実施例における噴射洗浄方式のイオン水生成器の部分拡大図
【図４】従来のイオン水生成器の概略全体図
【符号の説明】
４  浄水器
５  ミネラル供給部
７  電解槽
９、１０  電極板
１１  排水管
１２  吐出管
１７  コントローラ
１８  操作表示部
１９  流量積算計
２０  分岐管
２２  接続管
２４  ｐＨ検知室
２５  ｐＨセンサ
２６  超音波振動子
２７  オーバーフロー管
３４  噴射ノズル
３５  ドレン抜き管
【図１】
0003543365.tif 000002
【図２】
0003543365.tif 000003
【図３】
0003543365.tif 000004
【図４】
0003543365.tif 000005